(57)【特許請求の範囲】
【請求項１】
カードが挿入される凹部、及びこの凹部に開口された窓部を有し、プリント基板に実装される平板状のハウジングと、
前記カードの一方の面が前記凹部の底面と所定の間隙を維持するように、当該カードの板厚方向の移動を規制する規制部材と、
前記ハウジングに配列されて前記カードに接続する複数の第１コンタクトと、を備え、
前記第１コンタクトは、
前記ハウジングに固定される固定片と、
この固定片から上り傾斜するように前記窓部に延びて、前記カードの接続端子に接触する接点を頂き部に設ける弾性変形が可能な弾性片と、
前記弾性片の頂き部から前記窓部に向かう延在片と、
前記固定片から分岐して、前記弾性片が延びる方向と略平行に前記窓部に延びる第１分岐片と、
前記第１分岐片の先端部が折り曲げられて、前記弾性片の基端部に向かって、Ｕ字状に反転していると共に、底面が前記プリント基板の実装面に当接している規制片と、を有し、
前記カードを前記ハウジングに挿入した状態では、前記延在片の先端縁が前記規制片に当接して停止され、前記接点が所定の接触圧を前記カードの接続端子に付与している、カード用コネクタ。
【請求項２】
カードが挿入される凹部、及びこの凹部に開口された窓部を有し、プリント基板に実装される平板状のハウジングと、
前記カードの一方の面が前記凹部の底面と所定の間隙を維持するように、当該カードの板厚方向の移動を規制する規制部材と、
前記ハウジングに配列されて前記カードに接続する複数の第２コンタクトと、を備え、
前記第２コンタクトは、
前記ハウジングに固定される固定片と、
この固定片から上り傾斜するように前記窓部に延びて、前記カードの接続端子に接触する接点を頂き部に設ける弾性変形が可能な弾性片と、
前記弾性片の頂き部から前記窓部に向かう延在片と、
前記固定片から分岐して、前記弾性片が延びる方向と交差するように前記窓部に延びる第２分岐片と、
前記第２分岐片の基端部が屈折されて、前記延在片の直下に向かう当該第２分岐片の先端部に形成されると共に、底面が前記プリント基板の実装面に当接している突起と、を有し、
前記カードを前記ハウジングに挿入した状態では、前記延在片の先端縁が前記突起に当接して停止され、前記接点が所定の接触圧を前記カードの接続端子に付与している、カード用コネクタ。
【発明の詳細な説明】
【技術分野】
【０００１】
本発明は、カード用コネクタ及びコンタクトに関する。特に、ＳＩＭ（Ｓｕｂｓｃｒｉｂｅｒ  Ｉｄｅｎｔｉｔｙ  Ｍｏｄｕｌｅ：加入者識別モジュール）カードなどのメモリカードと電気的に接続するコネクタ及びコンタクトの構造に関する。
【背景技術】
【０００２】
カード型の記憶装置であるメモリカードは、記憶媒体としてフラッシュメモリを採用している。メモリカードは非常に小型であり、データの読み書きにほとんど電力を消費しないため、例えば、携帯電話機やＰＤＡ（Ｐｅｒｓｏｎａｌ  Ｄｉｇｉｔａｌ  Ａｓｓｉｓｔａｎｃｅ）に代表される携帯型情報機器用の記録メディアとして普及している。
【０００３】
近年においては、携帯電話機には、情報管理用のメモリカードと記録用のメモリカードとが搭載されている。前者の情報管理用のメモリカードは、例えばＳＩＭカードであり、後者の記録用のメモリカードは、例えばＳＤ（Ｓｅｃｕｒｅ  Ｄｉｇｉｔａｌ）カードである。
【０００４】
ＳＩＭカードには、携帯電話会社と契約した契約者情報が記録されている。そして、ＳＩＭカードを携帯電話機に差し込むと、利用者を識別できる。つまり、ＳＩＭカードを差し替えることにより、同じ契約者扱いで機種の異なる携帯電話機を利用できる。
【０００５】
一般に、ＳＩＭカードの一方の面上には、複数の接続端子が露出している。そして、ＳＩＭカード用コネクタに備わるベローズ形のコンタクトがこれらの接続端子を付勢することにより、ＳＩＭカードとＳＩＭカード用コネクタとが電気的に接続している。
【０００６】
前述したカード用コネクタとしては、ベローズ形のコンタクトのリード部を平面視でハウジング内に収めて、プリント基板に表面実装するコネクタであって、プリント基板への実装面積を大幅に小さくして、電子機器の小型化を実現できるカード用コネクタが開示されている（例えば、特許文献１参照）。
【０００７】
特許文献１によるカード用コネクタは、窓部が開口した板状のハウジングと、窓部に対応して配置され、ハウジングに基端部が固定された複数のコンタクトと、を備えている。コンタクトは、窓部の上面付近でハウジングの厚さ方向に弾性変形可能な接触部と、平面視で窓部の内部に設けられたリード部と、を有している。そして、リード部は、平面視で接触部に対して横にずれるように、コンタクトの固定端から分岐している。
【先行技術文献】
【特許文献】
【０００８】
【特許文献１】特開平１１−１９５４６６号公報
【発明の概要】
【発明が解決しようとする課題】
【０００９】
しかし、特許文献１によるカード用コネクタは、カードが挿入された状態では、コンタクトの接触部（接点）がカードの接続端子を弾性接触している。したがって、このカード用コネクタを内蔵する携帯電話機を不用意に落下させると、コンタクトの接触部が変位して、カードとコンタクトの接続が瞬間的に断絶される、いわゆる瞬断が発生するという問題があった。このため、カードの内部のメモリへの書き込みが断絶し、携帯電話機を引き続き利用するためには、電源を再投入する必要があり、不便であった。
【００１０】
衝撃などによる、コンタクトとカードとの瞬断が防止できるカード用コネクタが実現できれば、カードの内部のメモリへの書き込みが断絶することなく、携帯電話機などを引き続き利用でき、便利である。そして、以上のことが本発明の課題といってよい。
【００１１】
本発明は、このような問題に鑑みてなされたものであり、カードの接続端子との瞬断が防止可能なカード用コネクタ及びコンタクトを提供することを目的とする。
【課題を解決するための手段】
【００１２】
本発明者らは、カードの接続端子への接触圧が確保され、衝撃などで容易に変位しないようにコンタクトの構造を改善することにより、カードとの瞬断が防止可能なことを見出し、これに基づいて、以下のような新たなカード用コネクタ及びコンタクトを発明するに至った。
【００１３】
（１）  カードが挿入される凹部、及びこの凹部に開口された窓部を有し、プリント基板に実装される平板状のハウジングと、前記カードの一方の面が前記凹部の底面と所定の間隙を維持するように、当該カードの板厚方向の移動を規制する規制部材と、前記ハウジングに配列されて前記カードに接続する複数のコンタクトと、を備え、前記コンタクトは、前記ハウジングに固定される固定片と、この固定片から上り傾斜するように前記窓部に延びて、前記カードの接続端子に接触する接点を頂き部に設ける弾性変形が可能な弾性片と、前記弾性片の頂き部から前記窓部に向かう延在片と、を有し、この延在片の先端縁が停止されて、前記接点が所定の接触圧を前記カードの接続端子に付与するカード用コネクタ。
【００１４】
（１）の発明によるカード用コネクタは、平板状のハウジング、規制部材、及び複数のコンタクトを備えている。ハウジングは、カードが挿入される凹部と、この凹部に開口された窓部を有し、プリント基板に実装されている。規制部材は、カードの一方の面が凹部の底面と所定の間隙を維持するように、カードの板厚方向の移動を規制する。複数のコンタクトは、ハウジングに配列されており、カードに接続できる。
【００１５】
コンタクトは、固定片、弾性変形が可能な弾性片、及び延在片を有している。固定片は、ハウジングに固定されている。弾性片は、固定片から上り傾斜するように窓部に延びている。又、弾性片は、カードの接続端子に接触する接点を頂き部に設けている。延在片は、弾性片の頂き部から窓部に向かっている。そして、延在片の先端縁が停止されて、接点が所定の接触圧をカードの接続端子に付与する。
【００１６】
ハウジングは、絶縁性を有している。絶縁性のハウジングとは、非導電性の材料からなるハウジングのことであってよく、合成樹脂を成形して、所望の形状の絶縁性のハウジングを得ることができる。
【００１７】
ハウジングには、カードの両端縁を案内する一対の側壁を設けてよく、これらの側壁で囲まれた空間を凹部とすることができる。カードの先端縁に当接して、カードを停止させる停止壁を凹部に設けてもよい。凹部にカードが挿入されるとは、カードを直接、凹部に差し込む形態を含むことができ、トレイにカードを載置して、このトレイをカードと共に凹部に差し込む形態を含むことができる。
【００１８】
窓部は、一つでもよく、コンタクトの数量に対応して、複数に区画してもよい。窓部は凹部に開口されるとは、凹部の底面からプリント基板の一方の面（実装面）に貫通する形態を含み、凹部の底面から段差を形成して窪んだ形態を含むことができる。
【００１９】
プリント基板は、硬質のリジッド基板を含み、軟質のフレキシブル基板を含むことができる。又、プリント基板は、片面のみにパターンがある片面基板を含むことができ、両面にパターンがある両面基板を含むことができ、絶縁体とパターンを積み重ねた多層基板を含むことができる。
【００２０】
規制部材は、凹部を覆う導電性のカバー板であってよく、凹部を覆って、カード用コネクタの外殻を構成する導電性のシェルであってもよい。カードの一方の面とは、接続端子となる区画されたパターンが露出している面を示し、コンタクトに付勢されたカードが板厚方向の移動を規制されて、コンタクトが所定の接触圧を得ることができる。
【００２１】
コンタクトは導電性を有しており、導電性の金属板を打ち抜き加工又は折り曲げ加工して、所望の形状の導電性のコンタクトを得ることができる。コンタクトは加工の容易性や、ばね特性、導電性などを考慮すれば、例えば、銅合金が好ましく用いられるが、銅合金に限定される訳ではない。
【００２２】
コンタクトは、ベローズ形コンタクト、又はカンチレバーコンタクトと呼ばれる、片持ち状の板ばねからなることが好ましい。固定片はハウジングに固定されるとは、固定片がハウジングに圧入される形態を含み、固定片がハウジングにモールドされる一体成形の形態を含むことができる。固定片には、プリント基板にハンダ接合されるリード部を形成することが好ましい。
【００２３】
延在片の先端縁が停止されるとは、コンタクトの先端縁が固定片から分岐した分岐片の先端部に当接して停止する形態を含むことができ、コンタクトの先端縁がプリント基板のレジスト部（絶縁被膜部）に当接して停止する形態を含むことができ、コンタクトの先端縁が凹部の底面（窓部の底面）に当接して停止する形態を含むことができる。
【００２４】
（１）の発明によるカード用コネクタは、カードが挿入されると、コンタクトの先端縁が停止されると共に、コンタクトの接点が所定の接触圧をカードの接続端子に付与するように構成している。したがって、落下などの衝撃力でコンタクトに加速度が作用しても、コンタクトは容易に変位（変形）しない。つまり、衝撃などによる、コンタクトとカードとの瞬断を防止できる。
【００２５】
（２）  カードが挿入される凹部、及びこの凹部に開口された窓部を有し、プリント基板に実装される平板状のハウジングと、前記カードの一方の面が前記凹部の底面と所定の間隙を維持するように、当該カードの板厚方向の移動を規制する規制部材と、を備えるカード用コネクタに設けられ、前記ハウジングに配列されて前記カードに接続する複数のコンタクトであって、前記ハウジングに固定される固定片と、この固定片から上り傾斜するように前記窓部に延びて、前記カードの接続端子に接触する接点を頂き部に設ける弾性変形が可能な弾性片と、前記弾性片の頂き部から前記窓部に向かう延在片と、前記固定片から分岐して、前記弾性片が延びる方向と略平行に前記窓部に延びる第１分岐片と、を有し、この第１分岐片は、前記延在片の先端縁が停止されて、前記接点が所定の接触圧を前記カードの接続端子に付与する規制片を先端部に有するコンタクト。
【００２６】
（３）  カードが挿入される凹部、及びこの凹部に開口された窓部を有し、プリント基板に実装される平板状のハウジングと、前記カードの一方の面が前記凹部の底面と所定の間隙を維持するように、当該カードの板厚方向の移動を規制する規制部材と、を備えるカード用コネクタに設けられ、前記ハウジングに配列されて前記カードに接続する複数のコンタクトであって、前記ハウジングに固定される固定片と、この固定片から上り傾斜するように前記窓部に延びて、前記カードの接続端子に接触する接点を頂き部に設ける弾性変形が可能な弾性片と、前記弾性片の頂き部から前記窓部に向かう延在片と、前記固定片から分岐して、前記弾性片が延びる方向と交差するように前記窓部に延びる第２分岐片と、を有し、この第２分岐片は、前記延在片の先端縁が停止されて、前記接点が所定の接触圧を前記カードの接続端子に付与する突起を先端部に有するコンタクト。
【発明の効果】
【００２７】
本発明によるカード用コネクタは、カードが挿入されると、コンタクトの先端縁が停止されると共に、コンタクトの接点が所定の接触圧をカードの接続端子に付与するように構成している。したがって、落下などの衝撃力でコンタクトに加速度が作用しても、コンタクトは容易に変位（変形）しない。つまり、衝撃などによる、コンタクトとカードとの瞬断を防止できる。
【００２８】
本発明によるコンタクトは、コンタクトの先端縁が金属からなる分岐片の先端部に当接して停止するので、コンタクトの停止側の磨耗が抑制されるというメリットがある。
【図面の簡単な説明】
【００２９】
【図１】本発明の第１実施形態によるカード用コネクタの構成を示す斜視図である。
【図２】第１実施形態によるカード用コネクタの構成を示す斜視図であり、カバーを取付けた状態図である。
【図３】第１実施形態によるカード用コネクタの構成を示す斜視図である。
【図４】第１実施形態によるカード用コネクタの構成を示す斜視図であり、図３と異なる方向からカード用コネクタを観ている。
【図５】第１実施形態によるカード用コネクタの構成を示す図であり、図５（Ａ）は、カード用コネクタの平面図、図５（Ｂ）は、カード用コネクタの正面図、図５（Ｃ）は、カード用コネクタの右側面図、図５（Ｄ）は、図５（Ａ）のＸ１−Ｘ１矢視断面図、図５（Ｅ）は、図５（Ａ）のＸ２−Ｘ２矢視断面図、図５（Ｆ）は、図５（Ａ）のＸ３−Ｘ３矢視断面図である。
【図６】第１実施形態によるカード用コネクタに備わるコンタクトの外観を示す斜視図である。
【図７】第１実施形態によるカード用コネクタに備わるコンタクトの外観を示す斜視図であり、図６と異なる方向からコンタクトを観ている。
【図８】第１実施形態によるカード用コネクタに備わるコンタクトの作用を説明するための縦断面図であり、図８（Ａ）は、従来のコンタクトの動作を示す縦断面図、図８（Ｂ）は、第１実施形態のコンタクトの動作を示す縦断面図、図８（Ｃ）は、第１実施形態の第１変形例によるコンタクトの動作を示す縦断面図、図８（Ｄ）は、第１実施形態の第２変形例によるコンタクトの動作を示す縦断面図であり、いずれの図も、上段は、カードが挿入される前の状態図、下段は、カードが挿入された状態図である。
【図９】本発明の第２実施形態によるカード用コネクタの構成を示す斜視図である。
【図１０】第２実施形態によるカード用コネクタの構成を示す斜視図であり、図９と異なる方向からカード用コネクタを観ている。
【図１１】第２実施形態によるカード用コネクタに備わる一方の列のコンタクトの外観を示す斜視図である。
【図１２】第２実施形態によるカード用コネクタに備わる他方の列のコンタクトの外観を示す斜視図である。
【発明を実施するための形態】
【００３０】
以下、図面を参照して本発明を実施するための形態を説明する。
【００３１】
［第１実施形態］
（カード用コネクタの構成）
最初に、本発明の第１実施形態によるカード用コネクタの構成を説明する。図１は、本発明の第１実施形態によるカード用コネクタの構成を示す斜視図である。図２は、第１実施形態によるカード用コネクタの構成を示す斜視図であり、カバーを取付けた状態図である。
【００３２】
図１又は図２を参照すると、本発明の第１実施形態によるカード用コネクタ（以下、コネクタと略称する）１０は、平板状のハウジング１と規制部材となるカバー２を備えている。又、コネクタ１０は、前列に配置された四つのコンタクト３１、及び後列に配置された四つのコンタクト３２を備えている。
【００３３】
図１又は図２を参照すると、ハウジング１は、プリント基板１ｐに実装されている。又、ハウジング１は、カード１ｃが挿入される凹部１１を有している。凹部１１には、八つの窓部１２が開口されている。
【００３４】
図１又は図２を参照すると、カバー２は、カード１ｃの一方の面が凹部１１の底面と所定の間隙を維持するように、カード１ｃの板厚方向の移動を規制できる。ハウジング１には、カード１ｃの両端縁を案内する一対の側壁１１ａ・１１ｂを設けている。そして、カバー２で囲われた開口（スロット）からカード１ｃを挿入できる。なお、図示しないトレイにカード１ｃを載置して、このトレイをカード１ｃと共に凹部１１に差し込むように構成してもよい。
【００３５】
図１又は図２において、カード１ｃの裏面には、接続端子となる区画されたパターン（図示せず）が露出している。カード１ｃをコネクタ１０に挿入すると、複数のコンタクト３１・３２をカード１ｃの接続端子に接続（接触）できる。なお、実施形態によるコネクタ１０は、コンタクトが八極となっているが、六極の接続端子を有するカードに適用できるように構成されている。
【００３６】
引き続き、第１実施形態によるコネクタ１０の構成を説明する。図３は、第１実施形態によるカード用コネクタの構成を示す斜視図である。図４は、第１実施形態によるカード用コネクタの構成を示す斜視図であり、図３と異なる方向からカード用コネクタを観ている。
【００３７】
図５は、第１実施形態によるカード用コネクタの構成を示す図であり、図５（Ａ）は、カード用コネクタの平面図、図５（Ｂ）は、カード用コネクタの正面図、図５（Ｃ）は、カード用コネクタの右側面図、図５（Ｄ）は、図５（Ａ）のＸ１−Ｘ１矢視断面図、図５（Ｅ）は、図５（Ａ）のＸ２−Ｘ２矢視断面図、図５（Ｆ）は、図５（Ａ）のＸ３−Ｘ３矢視断面図である。
【００３８】
図６は、第１実施形態によるカード用コネクタに備わるコンタクトの外観を示す斜視図である。図７は、第１実施形態によるカード用コネクタに備わるコンタクトの外観を示す斜視図であり、図６と異なる方向からコンタクトを観ている。
【００３９】
図３又は図４を参照すると、コンタクト３１は、固定片３ａ、弾性変形が可能な弾性片３ｂ、及び延在片３ｃを有している。同様に、コンタクト３２は、固定片３ａ、弾性変形が可能な弾性片３ｂ、及び延在片３ｃを有している。又、コンタクト３１は、第１分岐片３ｄと規制片３ｅを有している。同様に、コンタクト３２は、第１分岐片３ｄと規制片３ｅを有している。
【００４０】
図３から図５を参照すると、コンタクト３１の固定片３ａは、ハウジング１に固定されている。コンタクト３１の固定片３ａは、その一部がハウジング１の前方に突出して、プリント基板１ｐにハンダ接合されるリード部３１ｆを形成している。又、コンタクト３１の固定片３ａは、その一部がハウジング１の後方に突出して、プリント基板１ｐにハンダ接合されるリード部３１ｒを形成している。
【００４１】
図３から図５を参照すると、コンタクト３２の固定片３ａは、ハウジング１に固定されている。コンタクト３２の固定片３ａは、その一部がハウジング１の後方に突出して、プリント基板１ｐにハンダ接合されるリード部３２ｒを形成している。そして、リード部３１ｒとリード部３２ｒは、交互に一列に配置されている。
【００４２】
ここで、コンタクト３１とコンタクト３２とは、固定片３ａ、弾性片３ｂ、延在片３ｃ、第１分岐片３ｄ、及び規制片３ｅで構成される本体部が同じであるので、以下、コンタクト３２を代表して説明する。
【００４３】
図３から図７を参照すると、弾性片３ｂは、固定片３ａから上り傾斜するように窓部１２に延びている。又、弾性片３ｂは、カード１ｃの接続端子に接触する接点３ｐを頂き部に設けている。延在片３ｃは、弾性片３ｂの頂き部から窓部１２に向かっている。
【００４４】
図３から図７を参照すると、第１分岐片３ｄは、固定片３ａから分岐している。第１分岐片３ｄは、弾性片３ｂが延びる方向と略平行に窓部１２に延びている。又、第１分岐片３ｄは、規制片３ｅを先端部に有している。
【００４５】
図６又は図７を参照すると、規制片３ｅは、第１分岐片３ｄの先端部が折り曲げられて、更に、弾性片３ｂの基端部に向かって、Ｕ字状に反転している。規制片３ｅの底面は、プリント基板１ｐの実装面に当接している。そして、延在片３ｃの先端縁は、規制片３ｅの先端部に当接できる。
【００４６】
（カード用コネクタの作用）
次に、第１実施形態によるコネクタ１０の動作及び作用を説明する。図８は、第１実施形態によるカード用コネクタに備わるコンタクトの作用を説明するための縦断面図であり、図８（Ａ）は、従来のコンタクトの動作を示す縦断面図、図８（Ｂ）は、第１実施形態のコンタクトの動作を示す縦断面図、図８（Ｃ）は、第１実施形態の第１変形例によるコンタクトの動作を示す縦断面図、図８（Ｄ）は、第１実施形態の第２変形例によるコンタクトの動作を示す縦断面図であり、いずれの図も、上段は、カードが挿入される前の状態図、下段は、カードが挿入された状態図である。
【００４７】
図８（Ａ）を参照すると、カード１ｃをハウジング１に挿入すると、従来のコンタクトの弾性片３０ｂが撓み、反作用として、所定の接触圧をカード１ｃの接続端子に付与することができる。
【００４８】
しかし、図８（Ａ）を参照すると、延在片３０ｃの先端縁が窓部１２を介して、プリント基板１ｐの実装面から離間しているので、コネクタが落下した衝撃で、弾性片３０ｂに加速度が作用し、つまり、カード１ｃの接続端子から離間する力が働き、瞬断が発生する恐れがある。
【００４９】
一方、図８（Ｂ）を参照すると、カード１ｃをハウジング１に挿入すると、実施形態による弾性片３ｂが撓み、反作用として、所定の接触圧をカード１ｃの接続端子に付与することができる。そして、延在片３ｃの先端縁が規制片３ｅに当接して停止される。
【００５０】
図８（Ｂ）の下段に示された状態では、落下などの衝撃力で弾性片３ｂに加速度が作用しても、弾性片３ｂは、容易に変位（変形）しない。つまり、衝撃などによる、コンタクトとカードとの瞬断を防止できる。
【００５１】
図８（Ｃ）は、実施形態による弾性片３ｂに代えて、弾性片３ｂの先端縁がプリント基板１ｐの実装面に当接して停止する変形例を示している。図８（Ｄ）は、実施形態による弾性片３ｂに代えて、弾性片３ｂの先端縁が穿設された窓部１２の底面に当接して停止する変形例を示している。このように、本発明によるカード用コネクタは、種々の変形例が可能である。
【００５２】
［第２実施形態］
（カード用コネクタの構成）
次に、第２実施形態によるコネクタ２０の構成を説明する。なお、第１実施形態で用いた符号と同じ符号の構成品は、その作用を同じとするので、以下の説明では割愛する場合がある。
【００５３】
図９は、本発明の第２実施形態によるカード用コネクタの構成を示す斜視図である。図１０は、第２実施形態によるカード用コネクタの構成を示す斜視図であり、図９と異なる方向からカード用コネクタを観ている。
【００５４】
図１１は、第２実施形態によるカード用コネクタに備わる一方の列のコンタクトの外観を示す斜視図である。図１２は、第２実施形態によるカード用コネクタに備わる他方の列のコンタクトの外観を示す斜視図である。
【００５５】
図９又は図１０を参照すると、本発明の第２実施形態によるコネクタ２０は、平板状のハウジング１と規制部材となるカバー２（図２参照）を備えている。又、コネクタ２０は、前列に配置された四つのコンタクト４１、及び後列に配置された四つのコンタクト４２を備えている。
【００５６】
図９から図１２を参照すると、コンタクト４１は、固定片４ａ、弾性変形が可能な弾性片４ｂ、及び延在片３ｃを有している。同様に、コンタクト４２は、固定片４ａ、弾性変形が可能な弾性片４ｂ、及び延在片４ｃを有している。又、コンタクト４１は、第２分岐片４ｄと突起４ｅを有している。同様に、コンタクト４２は、第２分岐片４ｄと突起４ｅを有している。
【００５７】
図９から図１２を参照すると、コンタクト４１の固定片４ａは、ハウジング１に固定されている。コンタクト４１の固定片４ａは、その一部がハウジング１の前方に突出して、プリント基板１ｐにハンダ接合されるリード部４１ｆを形成している。又、コンタクト４１の固定片４ａは、その一部がハウジング１の後方に突出して、プリント基板１ｐにハンダ接合されるリード部４１ｒを形成している。
【００５８】
図９から図１２を参照すると、コンタクト４２の固定片４ａは、ハウジング１に固定されている。コンタクト４２の固定片４ａは、その一部がハウジング１の後方に突出して、プリント基板１ｐにハンダ接合されるリード部４２ｒを形成している。そして、リード部４１ｒとリード部４２ｒは、交互に一列に配置されている。
【００５９】
図９から図１２を参照すると、弾性片４ｂは、固定片４ａから上り傾斜するように窓部１２に延びている。又、弾性片４ｂは、カード１ｃの接続端子に接触する接点４ｐを頂き部に設けている。延在片４ｃは、弾性片４ｂの頂き部から窓部１２に向かっている。
【００６０】
図９から図１２を参照すると、第２分岐片４ｄは、固定片３ａから分岐している。第２分岐片４ｄは、弾性片３ｂが延びる方向と交差するように窓部１２に延びている。又、第２分岐片４ｄは、突起４ｅを先端部に有している。
【００６１】
図９から図１２を参照すると、第２分岐片４ｄは、その基端部が屈折されて、先端部が延在片４ｃの先端縁の直下に向かっている。又、第２分岐片４ｄは、途中から段差を形成している。第２分岐片４ｄの先端部を含む段差の底面は、プリント基板１ｐの実装面に当接している。そして、延在片３ｃの先端縁は、突起４ｅに当接できる。
【００６２】
（カード用コネクタの作用）
次に、第２実施形態によるコネクタ２０の動作及び作用を説明する。
【００６３】
図９又は図１０を参照すると、カード１ｃをハウジング１に挿入すると、実施形態による弾性片４ｂが撓み、反作用として、所定の接触圧をカード１ｃの接続端子に付与することができる。そして、延在片４ｃの先端縁が突起４ｅに当接して停止される。
【００６４】
第２実施形態によるコネクタ２０は、落下などの衝撃力で弾性片４ｂに加速度が作用しても、弾性片４ｂは、容易に変位（変形）しない。つまり、衝撃などによる、コンタクトとカードとの瞬断を防止できる。
【００６５】
第２実施形態によるコネクタ２０は、実施形態による弾性片４ｂに代えて、弾性片４ｂの先端縁がプリント基板１ｐの実装面に当接して停止するように構成してもよい。又、実施形態による弾性片４ｂに代えて、弾性片４ｂの先端縁が穿設された窓部１２の底面に当接して停止するように構成してもよい。このように、本発明によるカード用コネクタは、種々の変形例が可能である。
【符号の説明】
【００６６】
１  ハウジング
１ｃ  カード
１ｐ  プリント基板
２  カバー（規制部材）
３ａ  固定片
３ｂ  弾性片
３ｃ  延在片
３ｐ  接点
１０  コネクタ（カード用コネクタ）
１１  凹部
１２  窓部
３１・３２  コンタクト
【図１】
0005547513.tif 000002
【図２】
0005547513.tif 000003
【図３】
0005547513.tif 000004
【図４】
0005547513.tif 000005
【図５】
0005547513.tif 000006
【図６】
0005547513.tif 000007
【図７】
0005547513.tif 000008
【図８】
0005547513.tif 000009
【図９】
0005547513.tif 000010
【図１０】
0005547513.tif 000011
【図１１】
0005547513.tif 000012
【図１２】
0005547513.tif 000013